(57)【要約】【課題】  米の備蓄方法を根本的に改善し、長期の保管に適合し、長期の保管で米の味覚が劣化することがなく、「回転備蓄方式」を円滑に運用可能とする備蓄方法を提案する。また、米の備蓄期間の長期化により十分な量の備蓄を可能とし、米の需要の増大で稲作経営の安定化を図る。【解決手段】  所定倉庫にて保管管理の下で備蓄米を保管する米の備蓄方法において、備蓄米を籾米の状態で保管することを特徴とする。また、所定重量の籾米２を不織布製の内袋３内に詰め、これを段ボール製の箱体４に収納した保存備蓄箱１を用いて備蓄米を保管する。【選択図】  図２
2005328807.tif 000002
【特許請求の範囲】
【請求項１】
所定倉庫にて保管管理の下で備蓄米を保管する米の備蓄方法において、
備蓄米を籾米の状態で保管することを特徴とする米の備蓄方法。
【請求項２】
請求項１に記載の備蓄米を、生産調整政策に基づく休耕田にて生産する米の備蓄方法。
【請求項３】
請求項１又は２に記載の米の備蓄方法において、
所定重量の籾米２を不織布製の内袋３内に詰め、これを段ボール製の箱体４に収納した保存備蓄箱１を用いて備蓄米を保管する米の備蓄方法。
【発明の詳細な説明】
【技術分野】
【０００１】
この発明は、所定倉庫にて保管管理の下で備蓄米を保管する米の備蓄方法に関し、長期の保管に適合する米の備蓄方法に関するものである。
【背景技術】
【０００２】
現在、凶作時に安定した米の供給を目的とした米の備蓄は、１５０万トンを基本に常時１００万トン以上を目標として運用され、これらの備蓄米は、政府備蓄米として１０数カ所の政府倉庫と、政府と契約した農協等などの民間倉庫約９０００カ所に分散して保管されている。備蓄米としては玄米が用いられ、玄米は、穀温が１５度以上で害虫が発生し、水分含有率が１５％以上でカビが発生するなどの特質を有し、これらの弊害による品質の劣化を防ぐため、常時１５度以下、湿度７０から８０％の条件の下で保管されている。このような保管管理の下でも玄米の食用としての保存期間（賞味期間）には限度があり、備蓄米を一定期間保管した後に古いものから順次消費を図る「回転備蓄方式」が採られ、備蓄米を半分以上含むものには、「たくわえくん」（商標登録第４２１９０５７号、第４２９２０６０号）のＰＲマークを付して販売されている。
【０００３】
また、米の需給をバランスさせ、過剰供給による米価の暴落を防止して稲作経営の安定化を図るため、米の作付け面積を制限する生産調整政策が採られている。この生産調整政策に基づいて、休耕田を水田として維持管理するための補助金や、他の作物への転作のための助成金など、多額の生産調整金が支払われている。
【発明の開示】
【発明が解決しようとする課題】
【０００４】
一方、中国、インド、東南アジア諸国の人口爆発による世界人口の急増や、先進国のエネルギー浪費による環境破壊、これに起因する地球規模の異常気象・天候不良による世界的凶作などにより、近い将来の世界的食料危機の到来が予測されている。上記の１５０万トンの米の備蓄量は、月当たり消費量に換算すると２カ月分に満たず、世界的食料危機への備え、及び食料の安全保障の観点からは不十分な備蓄量である。
【０００５】
また、そもそも玄米による備蓄は、保存期間に伴う味覚の低下が避けられず、一年以上保管された備蓄米は、消費者の新米志向から古米、古々米として売れ残り、収穫−備蓄−消費のサイクルが機能せず、「回転備蓄方式」が円滑に運用されていない。さらに、多額の生産調整金は財政を圧迫し、休耕田や耕作放棄田の増加は農村の景観悪化や荒廃を招くなど、米政策自体に課題がある。
【０００６】
この発明は、こうした米の備蓄方法を根本的に改善し、長期の保管に適合する米の備蓄方法を提案し、長期の保管で米の味覚が劣化することがなく、「回転備蓄方式」を円滑に運用可能とする備蓄方法を提案するものである。また、米の備蓄期間の長期化により十分な量の備蓄を可能とし、米の需要の増大で稲作経営の安定化を図るとともに生産調整金を不要とするなど、農業政策上極めて有益な米の備蓄方法を提案するものである。
【課題を解決するための手段】
【０００７】
これらの課題を解決するため、この発明の米の備蓄方法は、所定倉庫にて保管管理の下で備蓄米を保管する米の備蓄方法において、備蓄米を籾米の状態で保管することを特徴とするものである。
【０００８】
また、このようにして保管する備蓄米を、生産調整政策に基づく休耕田にて生産するものである。
【０００９】
また、この発明の米の備蓄方法において、所定重量の籾米２を不織布製の内袋３内に詰め、これを段ボール製の箱体４に収納した保存備蓄箱１を用いて備蓄米を保管するものである。
【発明の効果】
【００１０】
以上のように、この発明の米の備蓄方法は、籾すり前の籾殻が付いた籾米の状態で米を備蓄するもので、籾米は生きたままの状態で備蓄され、所定の温度・湿度の保管管理下であれば１０年程度の長期の保管に適合することができる。また、この保管期間の間には種籾として使用可能であるとともに、籾すりして玄米とし、さらに精米して白米とすれば、新米と変わらぬ味覚で食することができる。このように、籾米は長期の保管で米の味覚が劣化することがなく、備蓄米を一定期間保管した後に古いものから順次消費を図る「回転備蓄方式」を円滑に運用することができる。
【００１１】
また、籾米の状態で保管される米の備蓄期間を長期化することで、世界的食料危機に備えて備蓄量の増大を図ることができ、必然的に米の需要が増大する。したがつて、米政策を転換し、生産調整政策に基づく休耕田にて備蓄用の籾米を生産することで、この需要増加に対応し、米の生産調整金が不要となるとともに、稲作農家は安定した収益を得ることが可能となるなど、農業政策上極めて有益である。
【００１２】
また、この発明の米の備蓄方法で用いる保存備蓄箱１は、不織布製の内袋３が通気性、抗菌性、防虫性に優れ、段ボール製の箱体４が通気性に優れるので、害虫の発生やカビの発生を防止し、籾米２が呼吸して生きたままの状態での保管に適するものである。また、保存備蓄箱１は、素材が安価で廉価に製作され、箱体４が段ボール製であるから緩衝性を有し、箱形であるから運搬、積層等の取り扱いに優れ、表面に識別表示を印刷し、又は識別ラベルを貼り付けて容易に管理可能であるなど、倉庫保管上極めて実用的な効果を奏するものである。
【発明を実施するための最良の形態】
【００１３】
図１及び２に、この発明の米の備蓄方法において、籾米２を保管するために用いる保存備蓄箱１の実施例を示す。図に示すように、保存備蓄箱１は内袋３と箱体４で構成され、内袋３は通気性、抗菌性、防虫性に優れる不織布製で、箱体４は所定強度の段ボール製で、保存備蓄箱１の外観形状は直方体又は立方体である。内袋３内に、籾すり前の籾殻が付いた籾米２が所定重量詰められ、この内袋３を箱体４内に収納して保存備蓄箱１が製造される。
【００１４】
保存備蓄箱１は所定倉庫に搬入、積層され、所定の温度・湿度の保管管理下で保管される。保存備蓄箱１は、箱体４の表面に、米の銘柄、産地、入庫年月日等の識別表示を印刷し、又はこれらの内容のバーコード等の識別ラベルを貼り付けて管理される。保存備蓄箱１内に収納する籾米２の重量は、１０ｋｇ、２０ｋｇ等、個数を数えるだけで備蓄量（在庫量）が容易に積算される単位に設定することが便利である。
【図面の簡単な説明】
【００１５】
【図１】この発明の米の備蓄方法で用いる保存備蓄箱の実施例の斜視図。
【図２】同じく実施例の断面図。
【符号の説明】
【００１６】
１  保存備蓄箱
２  籾米
３  不織布
４  箱体
【図１】
2005328807.tif 000003
【図２】
2005328807.tif 000004